(57)【要約】【課題】センサ電極の電気的状態が正常であるか否かを容易に判別することができるようにする。【解決手段】センサ電極１０（送信電極１１）は、第１の方向ｄ１に沿って延びかつ第２の方向ｄ２に沿って互いに間隙Ｇをあけて配置された複数の電極部２０と、互いに隣り合う電極部２０，２０同士と連続した状態で電気的に接続された連続部３０と、を有している。連続部３０は、間隙Ｇにおいて各電極部２０の第１端部１０ａが位置する側に配置されかつ互いに隣り合う電極部２０，２０の第１端部１０ａ，１０ａと連続する第１連続部３１を含む。各配線部４０および各接続パッド５０は、第２端部１０ｂが位置する側に配置されかつ各電極部２０と電気的に接続されている。【選択図】図７
2020160862.tif 000002
【特許請求の範囲】
【請求項１】
導電性を有する複数の細線が互いに交差したメッシュパターンからなるセンサ電極と、
前記センサ電極と電気的に接続された複数の配線部と、
各々が前記複数の配線部の各々と電気的に接続された複数の接続パッドと、を備え、
前記センサ電極は、第１の方向に沿って延びかつ前記第１の方向と交差する第２の方向に沿って互いに間隙をあけて配置された複数の電極部と、
互いに隣り合う前記電極部同士と連続した状態で電気的に接続された少なくとも１つの連続部と、を有し、
前記複数の電極部の各々は、前記第１の方向の両端に位置する第１端部および第２端部を含み、
前記連続部は、前記間隙において前記第１端部が位置する側に配置されかつ互いに隣り合う前記第１端部同士と連続する第１連続部を含み、
前記複数の配線部の各々および前記複数の接続パッドの各々は、前記第２端部が位置する側に配置されかつ前記複数の電極部の各々と電気的に接続されている、タッチセンサ。
【請求項２】
請求項１に記載のタッチセンサにおいて、
前記複数の電極部は、第１および第２電極部を含み、
前記複数の配線部は、第１および第２配線部を含み、
前記複数の接続パッドは、第１および第２接続パッドを含み、
前記第１電極部と前記第２電極部との前記間隙には、前記第１連続部が配置されており、
前記第１電極部の前記第２端部には、前記第１配線部および前記第１接続パッドが電気的に接続されており、
前記第２電極部の前記第２端部には、前記第２配線部および前記第２接続パッドが電気的に接続されている、タッチセンサ。
【請求項３】
請求項２に記載のタッチセンサにおいて、
前記複数の電極部は、前記第２の方向において前記第２電極部と隣り合うように配置された第３電極部をさらに含み、
前記複数の配線部は、第３配線部をさらに含み、
前記複数の接続パッドは、第３接続パッドをさらに含み、
前記第２電極部と前記第３電極部との前記間隙には、前記第１連続部が配置されており、
前記第３電極部の前記第２端部には、前記第３配線部および前記第３接続パッドが電気的に接続されている、タッチセンサ。
【請求項４】
請求項１に記載のタッチセンサにおいて、
前記複数の電極部は、前記第２の方向に沿って順番に並べられた第１〜第４電極部を含み、
前記複数の配線部は、第１〜第３配線部を含み、
前記複数の接続パッドは、第１〜第３接続パッドを含み、
前記第１電極部と前記第２電極部との前記間隙および前記第３電極部と前記第４電極部との前記間隙の各々には、前記第１連続部が配置されており、
前記連続部は、前記第２電極部と前記第３電極部との前記間隙に配置されかつ互いに隣り合う前記第２端部同士と連続する第２連続部を含み、
前記第１電極部の前記第２端部には、前記第１配線部および前記第１接続パッドが電気的に接続されており、
前記第４電極部の前記第２端部には、前記第３配線部および前記第３接続パッドが電気的に接続されており、
前記第２連続部には、前記第２配線部および前記第２接続パッドが接続されている、タッチセンサ。
【請求項５】
請求項１〜４のいずれか１項に記載のタッチセンサにおいて、
前記複数の接続パッドと電気的に接続するためのＦＰＣ側端子を有するフレキシブル配線板をさらに備えている、タッチセンサ。
【請求項６】
請求項５に記載のタッチセンサにおいて、
前記ＦＰＣ側端子は、複数の分割端子部を含み、
前記複数の接続パッドの各々は、前記複数の分割端子部の各々と電気的に接続されている、タッチセンサ。
【請求項７】
請求項１〜６のいずれか１項に記載のタッチセンサにおいて、
少なくとも一方の面に前記センサ電極が配置された略長方形状の基板をさらに備え、
前記基板は、短辺が前記第１の方向に沿って延びかつ長辺が前記第２の方向に沿って延びるように形成されている、タッチセンサ。
【発明の詳細な説明】
【技術分野】
【０００１】
本開示はタッチセンサに関するものである。
【背景技術】
【０００２】
従来から、タッチ操作を行うことが可能なタッチセンサに関し、例えば特許文献１に示されるものが知られている。
【０００３】
特許文献１には、第１および第２の基板と、第１および第２の基板の各々に形成されたセンサ電極と、一端部がセンサ電極と電気的に接続された配線と、配線の他端部と電気的に接続された接続端子と、を備えたタッチセンサが開示されている。
【０００４】
センサ電極は、導電性を有する金属からなる複数の細線をメッシュ状に形成したメッシュパターンとして構成されている。センサ電極は、第１の基板において長手方向に沿って略帯状に延びる第１のセンサ電極と、第２の基板において短手方向に沿って略帯状に延びる第２のセンサ電極と、を有している。第１のセンサ電極には、その両端部に配線がそれぞれ接続されている。第２のセンサ電極には、一方の端部のみに配線が接続されている。
【先行技術文献】
【特許文献】
【０００５】
【特許文献１】特開２０１７−１５１５７５号公報
【発明の概要】
【発明が解決しようとする課題】
【０００６】
特許文献１のタッチセンサでは、センサ電極が上記メッシュパターンで構成されているため、タッチセンサとしての透光性が優れたものとなっていた。しかしながら、例えば基板に大きな外力が加わった場合やタッチセンサに静電気が流れたような場合には、メッシュパターンを構成する細線が断線してしまうおそれがあった。このような断線の有無を確認するために、例えばタッチセンサの検査工程において、図示しない抵抗測定器を用いてセンサ電極の抵抗値測定が行われる場合がある。
【０００７】
ここで、第１のセンサ電極では、各配線と電気的に接続された一対の接続端子間において１つの導通経路が構成されている。このため、第１のセンサ電極では、図示しない抵抗測定器に設けられた測定ピンを上記各接続端子に押し当てることにより抵抗値測定を行うことが可能である。すなわち、第１のセンサ電極のような構成では、抵抗値測定により電気的状態が正常であるか否かを判別することが容易であった。
【０００８】
これに対し、第２のセンサ電極では、上記抵抗測定器に設けられた測定ピンを、１つの接続端子と、第２のセンサ電極における他方の端部に位置する１本の細線と、に押し当てることにより抵抗値測定を行うことが考えられる。しかしながら、上記メッシュパターンを構成する各細線の幅が数μｍ程度であることから、上記抵抗測定器の上記測定ピンを上記細線に押し当てることは実質的に困難であった。すなわち、第２のセンサ電極のような構成では、抵抗値測定により電気的状態が正常であるか否かを判別することが容易ではなかった。
【０００９】
本開示は斯かる点に鑑みてなされたものであり、その目的は、センサ電極の電気的状態が正常であるか否かを容易に判別することにある。
【課題を解決するための手段】
【００１０】
上記の目的を達成するために、本開示の一実施形態に係るタッチセンサは、導電性を有する複数の細線が互いに交差したメッシュパターンからなるセンサ電極と、センサ電極と電気的に接続された複数の配線部と、各々が複数の配線部の各々と電気的に接続された複数の接続パッドと、を備えている。センサ電極は、第１の方向に沿って延びかつ第１の方向と交差する第２の方向に沿って互いに間隙をあけて配置された複数の電極部と、互いに隣り合う電極部同士と連続した状態で電気的に接続された少なくとも１つの連続部と、を有している。複数の電極部の各々は、第１の方向の両端に位置する第１端部および第２端部を含む。連続部は、間隙において前記第１端部が位置する側に配置されかつ互いに隣り合う第１端部同士と連続する第１連続部を含む。そして、複数の配線部の各々および複数の接続パッドの各々は、第２端部が位置する側に配置されかつ複数の電極部の各々と電気的に接続されていることを特徴とする。
【発明の効果】
【００１１】
本開示によると、センサ電極の電気的状態が正常であるか否かを容易に判別することができる。
【図面の簡単な説明】
【００１２】
【図１】図１は、本開示の実施形態に係るタッチセンサの全体斜視図である。
【図２】図２は、第１および第２基板を重ね合わせた状態を概略的に示す平面図である。
【図３】図３は、第１基板および送信電極の構成を示す平面図である。
【図４】図４は、第２基板および受信電極の構成を示す平面図である。
【図５】図５は、送信電極の一部を拡大して示す部分拡大平面図である。
【図６】図６は、図５のVI−VI線拡大断面図である。
【図７】図７は、送信電極、配線部、および接続パッドの各構成を概略的に示す概略図である。
【図８】図８は、実施形態の変形例１の構成を示す図７相当図である。
【図９】図９は、実施形態の変形例２の構成を示す図７相当図である。
【図１０】図１０は、実施形態の変形例３の構成を示す図７相当図である。
【図１１】図１１は、その他の実施形態における送信電極の構成を示す図７相当図である。
【発明を実施するための形態】
【００１３】
以下、本開示の実施形態を図面に基づいて詳細に説明する。以下の実施形態の説明は、本質的に例示に過ぎず、本開示、その適用物或いはその用途を制限することを意図するものではない。
【００１４】
図１は、本開示の実施形態に係るタッチセンサ１の全体を示している。このタッチセンサ１は、タッチ操作が可能なセンサ型入力装置である。タッチセンサ１は、例えば液晶ディスプレイまたは有機ＥＬディスプレイ等の表示装置が組み込まれた種々の機器（例えばカーナビゲーション等の車載装置、パーソナルコンピュータのディスプレイ機器、携帯電話、携帯情報端末、携帯型ゲーム機、コピー機、券売機、現金自動預け払い機、時計など）に対する入力装置として用いられる。
【００１５】
以下の説明において、図１などに示したタッチセンサ１の短辺方向を第１の方向ｄ１とする一方、タッチセンサ１の長辺方向（第１の方向ｄ１に直交する方向）を第２の方向ｄ２として定めるものとする。また、後述するカバー部材２の操作面２ｂ側を「上側」とし、操作面２ｂの反対側を「下側」としてタッチセンサ１の上下方向を定めるものとする。なお、このような位置関係は、タッチセンサ１またはタッチセンサ１が組み込まれた機器における実際の方向とは無関係である。
【００１６】
（カバー部材）
図１に示すように、タッチセンサ１は、光透過性を有するカバー部材２を備えている。カバー部材２は、カバーガラスまたはプラスチック製のカバーレンズからなる。カバー部材２は、例えば長方形の板状に形成されている。カバー部材２は、後述する第２基板６の上面に積層配置されている。
【００１７】
カバー部材２の外周位置には、印刷等により黒色等の暗色で略額縁状の窓枠部２ａが形成されている。この窓枠部２ａで囲まれた内部の矩形領域は、透光可能なビューエリアＶ（図２参照）になっている。すなわち、使用者は、ビューエリアＶを介して、タッチセンサ１の後方に配置されるディスプレイからの視覚的情報を得ることができる。そして、ビューエリアＶに対応するカバー部材２の上面は、タッチ操作に伴い使用者の手指などが接触する操作面２ｂとして構成されている。
【００１８】
（フレキシブル配線板）
図１に示すように、タッチセンサ１は、フレキシブル配線板３を備えている。フレキシブル配線板３は、柔軟性を有しかつ変形状態でもその電気的特性が変化しないように構成されている。フレキシブル配線板３は、例えばポリイミド（ＰＩ）、ポリエチレンテレフタレート（ＰＥＴ）、ポリエチレンナフタレート（ＰＥＮ）等の可撓性を有する絶縁フィルムからなる。
【００１９】
図２に示すように、フレキシブル配線板３は、その先端部が例えば図示しない異方導電性接着剤により後述する基板４の上面側に固着されている。図７に示すように、フレキシブル配線板３は、接続パッド５０と電気的に接続するためのＦＰＣ側端子３ａを有している。
【００２０】
（基板）
図２〜図４に示すように、タッチセンサ１は、基板４，４を備えている。基板４，４は、第１基板５および第２基板６からなる。第２基板６は、図示しない光透過性を有する粘着層を介して第１基板５の上側に積層配置されている。
【００２１】
第１および第２基板５，６は、例えばポリカーボネート、ポリエチレンテレフタレート、ポリエーテルサルホン、ＰＭＭＡ(アクリル)、ポリアリレート、ＣＯＰ（シクロオレフィンポリマー）、ＣＯＣ（シクロオレフィンコポリマー）等のような光透過性を有する樹脂材等、またはガラスからなる。
【００２２】
第１および第２基板５，６は、略長方形に形成されている。具体的に、第１および第２基板５，６の各々は、短辺が第１の方向ｄ１に沿って延びかつ長辺が第２の方向ｄ２に沿って延びるように形成されている。
【００２３】
第１基板５の下面側には、図示しない液晶ディスプレイが配置されている。なお、第２基板６が比較的硬い材質で構成されている場合には、特にカバー部材２を設けなくてもよい。かかる場合、第２基板６に略額縁状の窓枠部２ａを形成してビューエリアＶを設けるようにすればよい。
【００２４】
図６に示すように、第１基板５の上面には、後述する細線１４の材料となる導電金属を埋設するための溝部７，７，…が形成されている。なお、図６では第１基板５の上面に形成された溝部７，７，…を示しているが、これと同様に、第２基板６の上面にも溝部７，７，…が形成されている。
【００２５】
（センサ電極）
図２〜図４に示すように、タッチセンサ１は、センサ電極１０，１０，…を備えている。センサ電極１０，１０，…は、ビューエリアＶ内に配置されている。タッチセンサ１では、センサ電極１０，１０，…を通じて操作面２ｂに接触した使用者の手指（検知対象物）によるタッチ操作の検知が可能である。すなわち、タッチセンサ１は、静電容量式のセンサ電極１０，１０，…を有し、センサ電極１０，１０，…は、送信電極１１，１１，…および受信電極１２，１２，…からなる。
【００２６】
送信電極１１，１１，…は、図示しない駆動回路に接続されている。送信電極１１，１１，…は、上記駆動回路により周囲に電界を放射するように構成されている。図３に示すように、送信電極１１，１１，…は、第１基板５の上面に形成されている。各送信電極１１は、平面視において長辺が第１の方向ｄ１に沿って略帯状に延びている。送信電極１１，１１，…は、第２の方向ｄ２に間隔をあけて配置されている。なお、図２〜図４に示した各送信電極１１では、後述する第１および第２電極部２１，２２、第１連続部３１、第１および第２配線部４１，４２、第１および第２接続パッド５１，５２などの詳細を省略している。
【００２７】
受信電極１２，１２，…は、送信電極１１，１１，…から放射された電界を受信するように構成されている。図４に示すように、受信電極１２，１２，…は、第２基板６の上面に形成されている。各受信電極１２は、平面視において長辺が第２の方向ｄ２に沿って略帯状に延びている。受信電極１２，１２，…は、第１の方向ｄ１に間隔をあけて配置されている。各受信電極１２は、各送信電極１１と上下方向に間隔をあけて互いに略直交するように配置されている（図２参照）。すなわち、各受信電極１２は、各送信電極１１と絶縁された状態で各送信電極１１と交差している。
【００２８】
次に、図５に示すように、各センサ電極１０は、メッシュパターン１３を含む。この実施形態において、メッシュパターン１３は、導電性を有する細線１４，１４，…が互いに交差しかつ等間隔に配置されて網目状に形成されている。なお、細線１４，１４，…は、等間隔に配置されていなくてもよい。各細線１４は、第１の方向ｄ１および第２の方向ｄ２の双方に対して斜め方向に延びている。
【００２９】
図６に示すように、各細線１４は、基板４の上面に形成された溝部７に銅や銀などの導電金属が埋設された導電層Ｍによって構成されている。細線１４は、幅寸法が例えば２μｍ以下であるのが望ましい。なお、細線１４の材料としては、上記導電金属に限られない。例えば、細線１４の材料を、導電樹脂、酸化インジウム錫、酸化錫等の光透過性を有する透明導電材（透明導電膜）等で構成してもよい。
【００３０】
図５に示すように、メッシュパターン１３は、細線からなる複数のセル１５，１５，…が規則的に並べられた網目構造となっている。各セル１５は、互いに同じ大きさに形成されかつ２つの対角線（図示せず）の長さが互いに異なる平行四辺形に形成されている。
【００３１】
この実施形態では、各セル１５における４つの辺の長さが全て等しい平行四辺形、すなわちひし形に形成されている。例えば、図５に示すように、送信電極１１を構成する各セル１５は、ひし形を構成する長手方向の対角線１５ａが第１の方向ｄ１に延びかつ短手方向の対角線１５ｂが第２の方向ｄ２に延びるように配置されている。なお、図示しないが、受信電極１２を構成する各セル１５は、ひし形を構成する長手方向の対角線１５ａが第２の方向ｄ２に延びかつ短手方向の対角線１５ｂが第１の方向ｄ１に延びるように配置されている。
【００３２】
（電極部）
図７に示すように、送信電極１１は、複数（図示例では２つ）の電極部２０，２０を有している。具体的に、この実施形態における送信電極１１は、第１および第２電極部２１，２２を有している。第１および第２電極部２１，２２は、いずれも上述のメッシュパターン１３により構成されている。なお、この実施形態における受信電極１２は、送信電極１１と異なり、電極部２０，２０および後述する連続部３０を有していない。なお、各配線部４０は、梯子状（ラダー）であることが好ましいが、この形状に限られず、ひし形、矩形状であってもよい。あるいは、各配線部４０は、一本の細線や幅の広いベタパターンであってもよい。
【００３３】
第１および第２電極部２１，２２の各々は、第１の方向ｄ１（基板４の短辺方向）に沿って延びている。第１および第２電極部２１，２２は、第２の方向ｄ２（基板４の長辺方向）に沿って互いに間隙Ｇをあけて配置されている。この間隙Ｇは例えば１０μｍである。なお、この実施形態において、第１および第２電極部２１，２２は、第２の方向ｄ２における幅が互いに同じ大きさとなっているが、この幅が互いに異なる大きさとなっていてもよい。
【００３４】
第１および第２電極部２１，２２の各々は、第１の方向ｄ１の両端に位置する第１端部２０ａおよび第２端部２０ｂを含む。各第１端部２０ａは、図７における紙面上側に位置している。各第２端部２０ｂは、図７における紙面下側に位置している。そして、各第２端部２０ｂが位置する側には、後述する配線部４０，４０，…および接続パッド５０，５０，…が配置されている。
【００３５】
（連続部）
図７に示すように、センサ電極１０は、少なくとも１つの連続部３０を有している。この実施形態において、連続部３０は、第１連続部３１からなる。第１連続部３１は、第１電極部２１と第２電極部２２との間隙Ｇに配置されている。また、第１連続部３１は、第１および第２電極部２１，２２の第１端部２０ａ，２０ａが位置する側に配置されている。なお、図７では、第１連続部３１（連続部３０）を強調して示すために、第１連続部３１をドットによるハッチングで示している。
【００３６】
第１連続部３１は、メッシュパターン１３により構成されていて、第１電極部２１の第１端部２０ａおよび第２電極部２２の第１端部２０ａの双方と連続している。すなわち、第１および第２電極部２１，２２は、第１連続部３１を介して互いに電気的に接続された状態となっている。
【００３７】
（配線部）
図２および図３に示すように、タッチセンサ１は、センサ電極１０，１０，…を図示しない外部回路と電気的に接続するための配線部４０，４０，…を備えている。配線部４０，４０，…は、メッシュパターン１３により構成されていて、ビューエリアＶの外方に配置されている（図２参照）。
【００３８】
図４に示すように、各受信電極１２に接続される配線部４０，４０は、第２基板６の上面に配置されている。上記配線部４０，４０の一端部は、第２の方向ｄ２における各受信電極１２の両端部に接続されている。また、上記配線部４０，４０の他端部は、フレキシブル配線板３と電気的に接続されている。
【００３９】
図３に示すように、各送信電極１１に接続される各配線部４０は、第１基板５の上面に配置されている。各配線部４０の一端部は、第１の方向ｄ１における各送信電極１１の一端部のみに接続されている。具体的に、図７に示すように、第１基板５上の配線部４０，４０，…は、第１および第２配線部４１，４２からなる。第１配線部４１は、第１電極部２１の第２端部２０ｂと電気的に接続されている。第２配線部４２は、第２電極部２２の第２端部２０ｂと電気的に接続されている。
【００４０】
（接続パッド）
図２〜図４に示すように、タッチセンサ１は、複数の接続パッド５０，５０，…を備えている。各接続パッド５０は、各配線部４０に接続されている。各接続パッド５０は、フレキシブル配線板３と電気的に接続されている。
【００４１】
図７に示すように、各送信電極１１と電気的に接続するための接続パッド５０，５０は、第１および第２接続パッド５１，５２からなる。第１接続パッド５１は、第１配線部４１に接続されている。第２接続パッド５２は、第２配線部４２に接続されている。そして、第１および第２接続パッド５１，５２は、１つのＦＰＣ側端子３ａと接続されている。
【００４２】
［実施形態の作用効果］
以上のように、タッチセンサ１では、間隙Ｇを挟んで第２の方向ｄ２において互いに隣り合う電極部２０，２０同士が、第１端部２０ａ側に位置する第１連続部３１を介して電気的に接続される一方、第２端部２０ｂ側に位置する各配線部４０および各接続パッド５０が、各電極部２０と電気的に接続されている。すなわち、同一側に位置する少なくとも２つの接続パッド５０，５０間において、各配線部４０と少なくとも１つの第１連続部３１とを介して隣り合う電極部２０，２０に１つの導電経路が形成されている。このため、例えばタッチセンサ１の検査工程において、図示しない抵抗測定器に設けられた測定ピンを第２端部２０ｂ側に位置する各接続パッド５０に押し当てることにより、センサ電極１０の抵抗値測定を行うことが可能となる。すなわち、第２端部２０ｂ側に位置する接続パッド５０，５０を用いて抵抗値測定を行うことにより、センサ電極１０の導通状態（例えば完全断線の有無）を確認することが容易となる。したがって、タッチセンサ１では、センサ電極１０の電気的状態が正常であるか否かを容易に判別することができる。
【００４３】
また、この実施形態では、第１連続部３１が第１電極部２１と第２電極部２２との間隙Ｇに配置されている。そして、第１配線部４１および第１接続パッド５１が第１電極部２１の第２端部２０ｂと電気的に接続されている一方、第２配線部４２および第２接続パッド５２が第２電極部２２の第２端部２０ｂと電気的に接続されている。すなわち、同一側に位置する第１および第２接続パッド５１，５２間において、第１および第２配線部４１，４２と第１連続部３１とを介して第１および第２電極部２１，２２に１つの導電経路が形成されている。このため、例えばタッチセンサ１の検査工程において、上記抵抗測定器の測定ピンを第１および第２接続パッド５１，５２に押し当てることにより、センサ電極１０の電気的状態が正常であるか否かを容易に判別することができる。
【００４４】
また、タッチセンサ１は、接続パッド５０，５０と電気的に接続するためのＦＰＣ側端子３ａを有するフレキシブル配線板３を備えている。このフレキシブル配線板３により、接続パッド５０，５０を、上記抵抗値測定を行うための端子としての機能と、フレキシブル配線板３と電気的に接続するための接続端子としての機能の双方を兼ね備えた構成とすることが可能となる。その結果、タッチセンサ１の構造を簡易化することができる。
【００４５】
また、略長方形状の基板４は、短辺が第１の方向ｄ１に沿って延びかつ長辺が第２の方向ｄ２に沿って延びるように形成されている。そして、第１基板５（基板４）上に配置された送信電極１１は、第１基板５の短辺方向（第１の方向ｄ１）に沿って延びている。これにより、タッチセンサ１の短手方向において、センサ電極１０が位置するセンサ領域（ビューエリアＶ）を相対的に広くすることができるとともに、上記センサ領域の外側に位置する額縁部分の幅を相対的に狭めることができる。
【００４６】
［実施形態の変形例１］
上記実施形態では、送信電極１１が第１および第２電極部２１，２２を有する形態を示したが、この形態に限られない。すなわち、送信電極１１は、３つ以上の電極部２０，２０，…を有する形態であってもよい。具体的に、図８に示す変形例１のように、送信電極１１は、第１〜第３電極部２１〜２３を有する形態であってもよい。
【００４７】
図８に示すように、第３電極部２３は、第２の方向ｄ２において第２電極部２２と隣り合うように配置されている。第２電極部２２と第３電極部２３との間隙Ｇには、第１連続部３１が配置されている。そして、第３電極部２３の第２端部２０ｂには、第３配線部４３および第３接続パッド５３が接続されている。なお、第３電極部２３、第３配線部４３、および第３接続パッド５３の具体的構成については、第１および第２電極部２１，２２、第１および第２配線部４１，４２、ならびに第１および第２接続パッド５１，５２と同様であるため、その詳細な説明を省略する。
【００４８】
この変形例では、同一側に位置する第１および第２接続パッド５１，５２間において、第１および第２配線部４１，４２と第１連続部３１とを介して第１および第２電極部２１，２２に１つの導電経路が形成されている。このため、上記抵抗測定器の測定ピンを第１および第２接続パッド５１，５２に押し当てることにより、センサ電極１０の一部における電気的状態が正常であるか否かを容易に判別することができる。
【００４９】
また、同一側に位置する第２および第３接続パッド５２，５３間において、第２および第３配線部４２，４３と第１連続部３１とを介して第２および第３電極部２２，２３に１つの導電経路が形成されている。このため、上記測定ピンを第２および第３接続パッド５２，５３に押し当てることにより、センサ電極１０の一部における電気的状態が正常であるか否かを容易に判別することができる。
【００５０】
さらに、同一側に位置する第１および第３接続パッド５１，５３間において、第１および第３配線部４１，４３と第１連続部３１，３１とを介して第１〜第３電極部２１〜２３に１つの導電経路が形成されている。このため、上記抵抗測定器の測定ピンを第１および第３接続パッド５１，５３に押し当てることにより、センサ電極１０の全体における電気的状態が正常であるか否かを容易に判別することができる。
【００５１】
［実施形態の変形例２］
また、上記実施形態では、連続部３０が第１連続部３１からなる形態を示したが、この形態に限られない。例えば、図９に示す変形例２のように、連続部３０，３０，…が第１連続部３１，３１および第２連続部３２からなる形態であってもよい。
【００５２】
図９に示すように、この変形例において、複数の電極部２０，２０，…は、第２の方向ｄ２に沿って順番に並べられた第１〜第４電極部２１〜２４からなる。複数の配線部４０，４０，…は、第１〜第３配線部４１〜４３からなる。複数の接続パッド５０，５０，…は、第１〜第３接続パッド５１〜５３からなる。
【００５３】
一方の第１連続部３１は、第１電極部２１と第２電極部２２との間隙Ｇに配置されていて、第１電極部２１の第１端部２０ａおよび第２電極部２２の第１端部２０ａと連続している。また、他方の第１連続部３１は、第３電極部２３と第４電極部２４との間隙Ｇに配置されていて、第３電極部２３の第１端部２０ａおよび第４電極部２４の第１端部２０ａと連続している。
【００５４】
第２連続部３２は、第２電極部２２と第３電極部２３との間隙Ｇに配置されている。また、第２連続部３２は、第２および第３電極部２２，２３の第２端部２０ｂ，２０ｂが位置する側に配置されている。そして、第２連続部３２は、第２電極部２２の第２端部２０ｂおよび第３電極部２３の第２端部２０ｂの双方と連続している。すなわち、第２電極部２２および第３電極部２３は、第２連続部３２を介して互いに電気的に接続された状態となっている。
【００５５】
第１配線部４１および第１接続パッド５１は、第１電極部２１の第２端部２０ｂと電気的に接続されている。第３配線部４３および第３接続パッド５３は、第４電極部２４の第２端部２０ｂと電気的に接続されている。そして、第２配線部４２および第２接続パッド５２は、第２連続部３２と電気的に接続されている。
【００５６】
この変形例では、同一側に位置する第１および第２接続パッド５１，５２間において、第１および第２配線部４１，４２と第１および第２連続部３１，３２とを介して第１および第２電極部２１，２２に１つの導電経路が形成されている。このため、上記抵抗測定器の測定ピンを第１および第２接続パッド５１，５２に押し当てることにより、センサ電極１０の一部における電気的状態が正常であるか否かを容易に判別することができる。
【００５７】
また、同一側に位置する第２および第３接続パッド５２，５３間において、第２および第３配線部４２，４３と第１および第２連続部３１，３２とを介して第３および第４電極部２３，２４に１つの導電経路が形成されている。このため、上記測定ピンを第２および第３接続パッド５２，５３に押し当てることにより、センサ電極１０の一部における電気的状態が正常であるか否かを容易に判別することができる。
【００５８】
さらに、同一側に位置する第１および第３接続パッド５１，５３間において、第１および第３配線部４１，４３と第１連続部３１，３１および第２連続部３２とを介して第１〜第４電極部２１〜２４に１つの導電経路が形成されている。このため、上記抵抗測定器の測定ピンを第１および第３接続パッド５１，５３に押し当てることにより、センサ電極１０の全体における電気的状態が正常であるか否かを容易に判別することができる。
【００５９】
［実施形態の変形例３］
また、上記実施形態および上記各変形例では、複数の接続パッド５０，５０，…が１つのＦＰＣ側端子３ａと接続された形態を示したが、この形態に限られない。例えば、図１０に示す変形例３のように構成してもよい。具体的に、この変形例において、ＦＰＣ側端子３ａは、複数の分割端子部３ｂ，３ｂを含む（図１０の仮想線を参照）。そして、第１および第２接続パッド５１，５２は、各々がＦＰＣ側端子３ａの各分割端子部３ｂと接続されるように構成されている。
【００６０】
この変形例のように、各接続パッド５０は、ＦＰＣ側端子３ａを構成する各分割端子部３ｂと電気的に接続されていることから、フレキシブル配線板３が取り付けられたタッチセンサ１の検査工程において、上記抵抗測定器の測定ピンを各分割端子部３ｂに押し当てることにより、センサ電極１０の電気的状態が正常であるか否かを容易に判別することができる。
【００６１】
［その他の実施形態］
上記実施形態および各変形例では、送信電極１１が略帯状となる形態を示したが、この形態に限られない。例えば、図１１に示すように、送信電極１１は、中途部が第２の方向ｄ２またはその反対方向に向かって先細るように突出した突出部２０ｃ，２０ｃ，…を有していてもよい。これと同様に、受信電極１２についても、上記実施形態で示した略帯状となる形態に代えて、中途部が第１の方向ｄ１またはその反対方向に向かって先細るように突出した突出部（図示せず）を有する形態にしていてもよい。
【００６２】
また、上記実施形態および各変形例では、各受信電極１２の両端部に各配線部４０が接続された形態を示したが、この形態に限られない。例えば、各受信電極１２における一方の端部のみに配線部４０が接続された形態としてもよい。さらに、各受信電極１２を、図７〜図１１で示した各送信電極１１と同様の構成（すなわち、各受信電極１２が複数の電極部２０，２０，…を有する構成）にしてもよい。これにより、各受信電極１２についても、上記実施形態および各変形例で説明した各送信電極１１と同様の作用効果を得ることができる。
【００６３】
上記実施形態では、ひし形に形成された各セル１５を示したが、この形状に限られない。例えば、各セル１５を、４つの角が全て等しい平行四辺形（すなわち正方形や長方形）に形成してもよい。あるいは、各セル１５を、正方形、ひし形、および長方形のいずれにも該当しない平行四辺形に形成してもよい。各セル１５の形状は方形に限られることもなく、異形状などに形成されていてもよい。
【００６４】
また、上記実施形態では、２つの基板４，４（第１基板５および第２基板６）を有する形態を示したが、この形態に限られない。すなわち、タッチセンサ１として、１つの基板４（例えば第２基板６）のみを設けた形態としてもよい。かかる形態では、上記実施形態において第１基板５の上面に形成したセンサ電極１０，１０，…、配線部４０，４０，…などを、第２基板６の下面に形成すればよい。または、送信側と受信側の互いのセンサ電極１０，１０，…などを、１つの基板４の同じ側の面に絶縁性を保った状態で配置してもよい。
【００６５】
以上、本開示についての実施形態を説明したが、本開示は上述の実施形態のみに限定されず、発明の範囲内で種々の変更が可能である。
【産業上の利用可能性】
【００６６】
本開示は、タッチ操作を行うことが可能なタッチセンサ型入力装置として産業上の利用が可能である。
【符号の説明】
【００６７】
１：タッチセンサ
２：カバー部材
３：フレキシブル配線板
３ａ：ＦＰＣ側端子
３ｂ：分割端子部
４：基板
５：第１基板
６：第２基板
１０：センサ電極
１１：送信電極
１２：受信電極
１３：メッシュパターン
１４：細線
１５：セル
２０：電極部
２０ａ：第１端部
２０ｂ：第２端部
２０ｃ：突出部
２１〜２４：第１〜第４電極部
３０：連続部
３１：第１連続部
３２：第２連続部
４０：配線部
４１〜４３：第１〜第３配線部
５０：接続パッド
５１〜５３：第１〜第３接続パッド
ｄ１：第１の方向
ｄ２：第２の方向
【図１】
2020160862.tif 000003
【図２】
2020160862.tif 000004
【図３】
2020160862.tif 000005
【図４】
2020160862.tif 000006
【図５】
2020160862.tif 000007
【図６】
2020160862.tif 000008
【図７】
2020160862.tif 000009
【図８】
2020160862.tif 000010
【図９】
2020160862.tif 000011
【図１０】
2020160862.tif 000012
【図１１】
2020160862.tif 000013